(57)【特許請求の範囲】
【請求項１】
香水が含浸されたシート状の香水部を密閉する袋体部と、
前記袋体部に設けられ、使用者が前記香水部の香水の香りを嗅ぐための窓部と、を備え、
前記窓部は、開くことにより前記袋体部に密閉された前記香水部の一部が外部に露出することで使用者が該香水部の香水の香りを嗅ぐことが可能であり、閉じることにより外部に露出した該香水部が隠れることで該袋体部が密閉された状態となり、且つ、
前記窓部の一部分を開くことにより形成され、使用者が前記香水部の香水の香りを嗅ぐための領域である第１の領域と、
前記第１の領域よりも更に前記窓部を開くことにより形成されると共に前記第１の領域よりも開き難く形成されている第２の領域と、を有し、
前記第１の領域と前記第２の領域とを合わせた領域から前記香水部を外部に取り出すことが可能である、
香水収納袋。
【請求項２】
前記袋体部に設けられ、該袋体部の一部を切り取ることにより前記香水部を該袋体部から取り出す開口部を形成する切欠部を更に備える、
請求項１に記載の香水収納袋。
【発明の詳細な説明】
【技術分野】
【０００１】
本発明は、香水収納袋に関する。
【背景技術】
【０００２】
一般的に、体や衣類等に付ける香水やオーデコロン等（以下、香水と称する）の形態は、スプレータイプやスポイトタイプである。また、使用者は、香水の香りを嗅いで、香りを確認してから香水を購入することが殆どである。従来、使用者が香水の香りを嗅いで香りを確認するための試供品等の形態は、数ミリリットルの香水が入った小さな蓋の付いた小瓶や、圧によって噴霧される噴霧容器（特許文献１及び２を参照）が挙げられる。更に、図１に示すように、試香紙や不織布等に香水が含浸された香りシート３００が密閉された容器１００が挙げられる。
【先行技術文献】
【特許文献】
【０００３】
【特許文献１】特開２００３−２４８４４号公報
【特許文献２】特表２００２−５１５３８１号公報
【発明の概要】
【発明が解決しようとする課題】
【０００４】
従来、使用者が試供品等の香水の香りを嗅いで香りを確認する際、小瓶の場合は小さな蓋を開けるため扱いにくく、瓶の中に入った香水が手に付いてしまうことがある。また、噴霧容器の場合は圧を加えることにより空気中に香水が噴霧されるため、香水が体についてしまうことがある。他に、図１に示すように、香りシート３００が密閉された容器１００の場合は、四方袋５００の端部に設けられた切り欠き２００から四方袋５００の端部を切り取り、四方袋５００から香りシート３００を取り出す。更に、香りシート３００の端部４００に香水が含浸されており、香水が端部４００だけでなく、香りシート３００全体に染み込んでしまう。その結果、香りシート３００を手で取り出す際に、香水が手に付着してしまうことがある。香水は、各自それぞれに嗜好がある。嗅いだ香水の香りが使用者の好みではない香りであった場合、いつまでも手から好みではない香りがするため使用者は不快である。従って、使用者は手洗い等をして付着した香水を取り除く必要があり、面倒である。
【０００５】
そこで、本発明は、香水が使用者に付着しないように、香水の香りを嗅ぐことができる香水収納袋を提供することを目的とする。
【課題を解決するための手段】
【０００６】
本発明は、上述した課題を解決するために、使用者が香水部の香水の香りを嗅ぐための窓部を設ける点を工夫した。これにより、香水部の香水の香りが手に付着することなく、香水の香りを嗅ぐことが可能な香水収納袋を提供することが可能である。
【０００７】
詳細には、本発明は、香水が含浸されたシート状の香水部を密閉する袋体部と、前記袋体部に設けられ、使用者が前記香水部の香水の香りを嗅ぐための窓部と、を備え、前記窓部は、開くことにより前記袋体部に密閉された前記香水部の一部が外部に露出し、使用者が該香水部の香水の香りを嗅ぐことが可能であり、閉じることにより外部に露出した該香水部が隠れ、該袋体部が密閉された状態となる、香水収納袋である。
【０００８】
香水収納袋は、袋体部と、窓部を備える。袋体部は、香水部を密閉することにより、香
水部の香りが外部に放出しないため、使用者が袋体部を触っても香水の香りが手に付着することはない。窓部は、開くことにより袋体部に密閉された香水部の一部が外部に露出する。使用者は、外部に露出した香水部の一部から香水の香りを嗅ぐことが可能である。その結果、本発明に係る香水収納袋は、香水部の香水の香りが手に付着することなく、香水の香りを嗅ぐことが可能である。従って、本発明に係る香水収納袋は、香水の香りが使用者の好みではない香りであった場合、香水が手に付かないので、手洗い等をして手に付着した香水を取り除く必要が無い。また、本発明に係る香水収納袋は、使用者が窓部を開くだけで香水の香りを嗅ぐことが可能であるため、袋体部の端部を切って香水部を取り出す等の面倒な作業がなく、取扱いやすい。更に、本発明に係る香水収納袋は、香水部の香水の香りが少なくなった場合であっても、開いた窓部を介して香水部に香水を補充することが可能であり、何度でも香水の香りを嗅ぐことが可能である。
【０００９】
また、窓部は、閉じることにより外部に露出した香水部が隠れ、袋体部が密閉された状態となる。本発明に係る香水収納袋は、使用者が香水の香りを嗅ぎたい時だけ窓部を開き、それ以外の時は窓部を閉じることが可能であるため、香水部の香水が蒸発することを防ぐ。従って、本発明に係る香水収納袋は、使用者が長期間何度も香水部の香水の香りを嗅ぐことが可能である。尚、長期間何度も使用する場合とは、例えば、デパートの香水のディスプレイである。更に、本発明に係る香水収納袋は、安価で簡易な構成であるため、香水やオーデコロン等の試供品に適している。
【００１０】
また、本発明に係る香水収納袋は、前記袋体部に設けられ、該袋体部の一部を切り取ることにより前記香水部を該袋体部から取り出す開口部を形成する切欠部を更に備えてもよい。
【００１１】
使用者は、窓部から嗅いだ香水部の香水の香りが好みのものであり、使用してみたい場合、切欠部が袋体部の一部を切り取ることにより、香水部を袋体部から取り出す開口部が形成される。その結果、使用者は、開口部から香水部を取り出すことにより、香水部を体や衣類等の使用者の任意の部分に付けて、香りを楽しむことが可能である。
【００１２】
更に、本発明に係る香水収納袋において、前記窓部は、前記窓部の一部分を開くことにより形成され、使用者が前記香水部の香水の香りを嗅ぐための領域である第１の領域と、前記第１の領域よりも更に前記窓部を開くことにより形成される第２の領域と、を有し、前記第１の領域と前記第２の領域とを合わせることにより、使用者が任意の場所に前記香水部の香水を付けるための領域となり、該第1の領域よりも該第２の領域の方が開き難く
てもよい。
【００１３】
本発明に係る香水収納袋は、使用者が窓部の第１の領域まで窓部を開き、該第１の領域から香水部の香水の香りを嗅ぐことが可能である。更に、香水の香りが使用者の好みの香りであった場合、使用者が第２の領域まで窓部を開き、窓部を介して香水部の香水を任意の場所に付け、香りを楽しむことが可能である。尚、本発明に係る香水収納袋は、香水の香りが使用者の好みの香りであった場合、開口部から香水部を取り出すことにより、香水部を体や衣類等の使用者の任意の部分に付けて、香りを楽しむことも可能である。また、第１の領域よりも第２の領域の方が開き難くなっている。その結果、本発明に係る香水収納袋は、香水部の香水の香りを嗅ぐ際に、第１の領域まで開き易くし、第２の領域まで開くことを防ぐ事が可能である。従って、本発明に係る香水収納袋は、使用者が香水部の香水の香りを嗅ぐ際に、窓部が小さい領域の状態で香りを嗅ぐことが可能であるため、香水部の香水の香りが手等に付着し難くなる。以上により、本発明に係る香水収納袋は、香水の香りを嗅ぐ目的と、香水を任意の場所に付けて香りを楽しむ目的とに応じて、窓部が外部に露出する面積を変更することが可能である。
【発明の効果】
【００１４】
本発明によれば、香水が使用者に付着しないように、香水の香りを嗅ぐことができる香水収納袋を提供することが可能である。
【図面の簡単な説明】
【００１５】
【図１】従来の香りシートが密閉された容器を示す正面図である。
【図２】本発明の実施例１に係る香水収納袋の窓部が閉じた状態を示す正面図である。
【図３】本発明の実施例１に係る香水収納袋の窓部が閉じた状態を示す正面図である。
【図４】本発明の実施例１に係る香水収納袋の窓部が閉じた状態を示す図２のＡ−Ａ断面図である。
【図５】本発明の実施例１に係る香水収納袋の窓部が開いた状態を示す正面図である。
【図６】本発明の実施例１に係る香水収納袋の窓部が開いた状態を示す図５のＢ−Ｂ断面図である。
【図７】本発明の実施例１に係る香水収納袋の香水部が取り出された状態を示す正面図である。
【図８】本発明の実施例２に係る香水収納袋の窓部が閉じられた状態を示す概略図である。
【図９】本発明の実施例２に係る香水収納袋の窓部が閉じた状態を示すＣ−Ｃ断面図である。
【図１０】本発明の実施例２に係る香水収納袋の窓部が第１の領域まで開いた状態を示す断面図である。
【図１１】本発明の実施例２に係る香水収納袋の窓部が第２の領域まで開いた状態を示す断面図である。
【発明を実施するための形態】
【００１６】
ここで、本発明の香水収納袋の実施の形態について図面に基づいて説明する。以下に示す実施例は例示であり、本発明はこれらに限定されるものではない。
【実施例１】
【００１７】
〔香水収納袋１の構造〕
本発明の実施例１に係る香水収納袋１の各構成について説明する。本発明の実施例１に係る香水収納袋１は、図２に示すように、香水部５、袋体部２、窓部３及び切欠部４を主な構成とする。以下、各構成について具体的に説明する。
【００１８】
先ず、香水部５について説明する。香水部５は、香水が含浸されたシート状のものである。香水部５は、例えば、短冊状の紙であり、香りを試すための試香紙である。試香紙は、紙自体に匂いがなく無臭であり、揮発性の高い香りでも長時間保持する保香性があり、紙全体に平均した吸液性があり、液体を含んでも曲がらない強度を持つ紙である。尚、香水部５は、試香紙に限定されない。本発明の実施例１に係る香水収納袋１の香水部５は、図３に示すように、香水部５の端部８に香水が含浸されている。
【００１９】
袋体部２は、香水部５を密閉する。袋体部２は、図２及び図４に示すように、香水部５全体を覆うように形成され、薄い形状である。また、袋体部２は、アルミ積層フィルムによって形成されており、香水部５の香りが外部に放出しないため、使用者が袋体部２を触っても香水の香りが手に付着することはない。
【００２０】
窓部３は、図２及び図４に示すように、孔部３２と蓋部３１を有する。孔部３２は、袋
体部２の上面７の端部に設けられた略長方形の孔である。孔部３２から袋体部２に密閉されている香水部５の一部が外部に露出する。尚、孔部３２は、香水が含浸されている香水部５の端部８に面して設けられ、孔部３２から香水部５の最も香水の香りがする部分の香りを嗅ぐことが可能である。
【００２１】
蓋部３１は、図２に示すように、略長方形であり、孔部３２の孔全体を覆うことが可能である。蓋部３１が孔部３２を覆うことにより、孔部３２から外部に露出した香水部５が隠れ、袋体部２が密閉された状態となる。また、蓋部３１は、孔部３２周辺と対応する部分に粘着材が塗布される粘着部を有し、孔部３２に対して開閉可能である。蓋部３１は、再剥離可能なアルミ積層フィルムや、透明な樹脂シート等によって形成される。更に、蓋部３１には袋体部２の中心方向に位置する短い一辺に舌片３３が形成されている。その結果、蓋部３１を開閉する際、使用者が舌片３３を持つことによって開閉しやすくなる。尚、舌片３３の位置は使用者が蓋部３１を開閉し易ければ特に限定されない。
【００２２】
切欠部４について説明する。切欠部４は、図２に示すように、窓部３が設けられる側と反対側であって、袋体部２の長手方向の辺の端部に設けられる。切欠部４は、袋体部２の一辺に三角形の切り口をつけたものであり、袋体部２の一部を切り取ることにより、図７に示すように、香水部５を袋体部２から取り出す開口部６を形成する。尚、切欠部４は、開口部６を形成し、香水部５を袋体部２から取り出すことができれば、形状、個数、位置等は限定されない。
【００２３】
〔香水収納袋１の使用方法〕
本発明の実施例１に係る香水収納袋１の使用方法について説明する。使用者が香水の香りを試す際、図５及び図６に示すように、窓部３の蓋部３１を開ける。蓋部３１に覆われていた孔部３２から、袋体部２に密閉されていた香水部５の一部が外部に露出する。使用者は、袋体部２を手で持ち、孔部３２に鼻を近づけて香水部５の香水の香りを嗅ぐことが可能である。従って、本発明の実施例１に係る香水収納袋１は、香水部５の香水の香りが手に付着することなく、香水の香りを嗅ぐことが可能である。また、本発明の実施例１に係る香水収納袋１は、香水の香りが使用者の好みではない香りであった場合、香水が手に付かないので、手洗い等をして手に付着した香水を取り除く必要が無い。更に、本発明の実施例１に係る香水収納袋１は、香水部５の香水の香りが少なくなった場合であっても、孔部３２を介して香水部５に香水を補充することが可能であり、何度でも香水の香りを嗅ぐことが可能である。
【００２４】
また、使用者が香水部５の香水の香りを嗅いだ後、図２及び図４に示すように、蓋部３１を閉じることにより、外部に露出した香水部５が隠れ、袋体部２が密閉された状態となる。本発明の実施例１に係る香水収納袋１は、使用者が香水の香りを嗅ぎたい時だけ蓋部３１を開き、それ以外の時は蓋部３１を閉じることが可能であるため、香水部５の香水が蒸発することを防ぐことが可能である。従って、本発明の実施例１に係る香水収納袋１は、使用者が長期間何度も香水部５の香水の香りを嗅ぐことが可能である。
【００２５】
更に、使用者が香水部５の香水の香りが気に入った香りであった場合、図７に示すように、切欠部４によって袋体部２の一部を切り取り、香水部５を袋体部２から取り出す開口部６を形成する。開口部６から香水部５を取り出すことにより、使用者が香水部５を体や衣類等の使用者の任意の部分に付けて、香りを楽しむことが可能である。尚、本発明の実施例１に係る香水収納袋は、安価で簡易な構成であるため、香水やオーデコロン等の試供品に適している。
【００２６】
以上により、本発明の実施例１に係る香水収納袋１は、香水の香りを確認する際に香水が使用者に付かないように、香水の香りを嗅ぐことが可能である。
【実施例２】
【００２７】
〔香水収納袋１０の構造〕
本発明の実施例２に係る香水収納袋１０について説明する。本発明の実施例２に係る香水収納袋１０は、図８及び図９に示すように、香水部５、袋体部２及び窓部３を主な構成とする。以下、実施例１に係る香水収納袋１０との構成の違いを中心に、各構成について具体的に説明する。
【００２８】
先ず、香水部５について説明する。香水部５は、略長方形の柔らかい素材のコットン等の綿織物や、不織布等であり、シート状である。香水部５には、香水が全体に含浸されている。尚、本発明の実施例１に係る香水収納袋１０において用いられる試香紙等でもよい。
【００２９】
袋体部２は、図８及び図９に示すように、香水部５を密閉し、香水部５全体を覆うように形成されるピロー袋等であり、薄い形状である。また、袋体部２は、アルミ積層フィルムによって形成されており、香水部５の香りが外部に放出しないため、使用者が袋体部２を触っても香水の香りが手に付着することはない。
【００３０】
窓部３は、孔部３２と蓋部３１を有する。孔部３２は、図８に示すように、袋体部２の上面７の中心に設けられた略長方形の孔である。袋体部２に密閉されている香水部５の一部が孔部３２から外部に露出する。
【００３１】
蓋部３１は、図８に示すように、略長方形の形状であり、孔部３２の孔全体を覆う略長方形の形状である。蓋部３１が孔部３２を覆うことにより、孔部３２から外部に露出した香水部５が隠れ、袋体部２が密閉された状態となる。また、蓋部３１は、孔部３２周辺と対応する部分に粘着材が塗布される粘着部を有し、孔部３２に対して開閉可能である。蓋部３１は、再剥離可能なアルミ積層フィルムや、透明な樹脂シート等によって形成される。更に、蓋部３１には袋体部２の中心方向に位置する短い一辺に舌片３３が形成されている。その結果、蓋部３１を開閉する際、使用者が舌片３３を持つことによって開閉しやすくなる。尚、舌片３３の位置は使用者が蓋部３１を開閉し易ければ特に限定されない。
【００３２】
また、窓部３は、図１０及び図１１に示すように、第１の領域３４と第２の領域３５を有する。第１の領域３４は、図１０に示すように、蓋部３１の一部が開くことにより形成され、使用者が香水部５の香水の香りを嗅ぐための領域である。尚、第１の領域３４は、孔部３２が一部露出するように蓋部３１を開くことにより形成される。次に、第２の領域３５は、図１１に示すように、蓋部３１が第１の領域３４よりも更に開くことにより形成される。第１の領域３４と第２の領域３５とを合わせることにより、使用者が任意の場所に香水部５の香水を付けるための領域となる。
【００３３】
〔香水収納袋１０の使用方法〕
本発明の実施例２に係る香水収納袋１０の使用方法について説明する。使用者が香水の香りを試す際、図１０に示すように、蓋部３１を第１の領域３４まで開ける。蓋部３１に覆われていた孔部３２から、袋体部２に密閉されていた香水部５の一部が外部に露出する。使用者は、袋体部２を手で持ち、孔部３２に鼻を近づけて香水部５の香水の香りを嗅ぐことが可能である。その結果、本発明の実施例２に係る香水収納袋１０は、香水部５の香水の香りが手に付着することなく、香水の香りを嗅ぐことが可能である。従って、本発明の実施例１に係る香水収納袋１０は、香水の香りが使用者の好みではない香りであった場合、香水が手に付かないので、手洗い等をして手に付着した香水を取り除く必要が無い。更に、本発明の実施例２に係る香水収納袋１０は、香水部５の香水の香りが少なくなった場合であっても、孔部３２を介して香水部５に香水を補充することが可能であり、何度で
も香水の香りを嗅ぐことが可能である。
【００３４】
また、使用者が香水部５の香水の香りを嗅いだ後、図８に示すように、蓋部３１を閉じることにより、外部に露出した香水部５が隠れ、袋体部２が密閉された状態となる。本発明の実施例２に係る香水収納袋１０は、使用者が香水の香りを嗅ぎたい時だけ蓋部３１を開き、それ以外の時は蓋部３１を閉じることが可能であるため、香水部５の香水が蒸発するのを防ぐ。従って、本発明の実施例２に係る香水収納袋１０は、使用者が長期間何度も香水部５の香水の香りを嗅ぐことが可能である。尚、本発明の実施例２に係る香水収納袋１０は、例えば、デパートの香水のディスプレイに適している。具体的に説明すると、デパートには大勢のお客様が来られ、お客様が気になる香水の香りを嗅ぐために、何度も香水の香りを確かめる可能性がある。香水収納袋１０は、蓋部３１を閉めることで香水部５の香水の香りが辺りに充満しにくくなり、香水部５の香水が蒸発してしまった場合であっても、孔部３２を介して香水部５に香水を補充することが可能であるため、非常に便利である。
【００３５】
更に、使用者が香水部５の香水の香りが気に入った香りであり、使用してみたい場合、図１１に示すように、蓋部３１を第２の領域３５まで開ける。蓋部３１に覆われていた一部の孔部３２が露出し、外部に露出する香水部５の面積が広くなる。使用者は、袋体部２を手で持ち、外部に露出した香水部５を使用者の体や衣類等の使用者の任意の部分に付けて、香りを楽しむことが可能である。また、本発明の実施例２に係る香水収納袋１０は、孔部３２から香水部５を取り出すことが可能であり、取り出した香水部５を直接手で持って、香水部５を使用者の体や衣類等の使用者の任意の部分に付けて、香りを楽しむことも可能である。
【実施例３】
【００３６】
本発明の実施例３に係る香水収納袋２０について説明する。本発明の実施例３に係る香水収納袋２０は、本発明の実施例２に係る香水収納袋２０とほぼ同じ構成であるため、実施例２に係る香水収納袋１０との違いを説明する。本発明の実施例３に係る香水収納袋２０は、窓部３の第１の領域３４よりも第２の領域３５の方が開き難い。具体的に説明すると、第１の領域３４に対応する蓋部３１に塗布される粘着部よりも、第２の領域３５に対応する蓋部３１に塗布される粘着部の粘度を強める。その結果、本発明の実施例３に係る香水収納袋２０は、香水部５の香水の香りを嗅ぐ際に、第１の領域３４まで開き易くし、第２の領域３５まで開くことを防ぐ。従って、本発明の実施例３に係る香水収納袋２０は、使用者が香水部５の香水の香りを嗅ぐ際に、窓部３が小さい領域の状態で香りを嗅ぐことが可能であるため、香水部５の香水の香りが手に付着し難くなる。
【符号の説明】
【００３７】
１、１０、２０・・・香水収納袋
２・・・袋体部
３・・・窓部
３１・・・蓋部
３２・・・孔部
３３・・・舌片
３４・・・第１の領域
３５・・・第２の領域
４・・・切欠部
５・・・香水部
６・・・開口部
１００・・・容器
２００・・・切り込み
３００・・・香りシート
４００・・・先端部
５００・・・香りシート
【図１】
0005667461.tif 000002
【図２】
0005667461.tif 000003
【図３】
0005667461.tif 000004
【図４】
0005667461.tif 000005
【図５】
0005667461.tif 000006
【図６】
0005667461.tif 000007
【図７】
0005667461.tif 000008
【図８】
0005667461.tif 000009
【図９】
0005667461.tif 000010
【図１０】
0005667461.tif 000011
【図１１】
0005667461.tif 000012